(57)【特許請求の範囲】
【請求項１】
収納体と、その内部に備えられた圧縮機、凝縮器及び蒸発器とを有する室内冷却用の室内設置の一体型空調装置において、
外形の略形状が円柱を縦断させた形状をなし、その母面が前面とされ、この前面の下部に吸込み口を上部に冷風吹出し口を有することを特徴とする一体型空調装置。
【請求項２】
冷風吹出し口に、平面視でほぼ一様に膨出する曲面を有する繊維フィルターが備えられ、この繊維フィルターのほぼ全域から冷風が吹出されるように構成した請求項１記載の一体型空調装置。
【請求項３】
収納体内部の背面側に廃熱空気排気経路を設け、前記廃熱空気排気経路に気化器が備えられ、蒸発器で発生したドレン水が前記気化器に供給され、前記廃熱空気とともに排気される構成とした請求項１または２記載の一体型空調装置。
【請求項４】
収納体と、その内部に備えられた圧縮機、凝縮器及び蒸発器とを有する室内冷却用の室内設置のものであり、
さらに、外形の略形状が円柱を縦断させた形状をなし、その母面が前面とされ、この前面の下部に吸込み口を上部に冷風吹出し口を有する一体型空調装置が、
縦断面を背中合わせに配置されたことを特徴とする空調設備。
【発明の詳細な説明】
【０００１】
【発明の属する技術分野】
本発明は、内部に圧縮機、凝縮器及び蒸発器が備えられた一体型空調装置及びその組み合わせ配置の空調設備に関する。
【０００２】
【従来の技術】
空調設備の備わっていない場所で作業をする場合や、空調設備を停止して点検作業をする場合などにおいては、作業環境を向上させるために室内冷却用の室内設置の一体型空調装置を仮設して使用している。
従来の一体型空調装置は、図９に示すように、ほぼ角柱状の収納体１０２と、その内部に備えられた圧縮機、凝縮器、蒸発器（圧縮機、凝縮器及び蒸発器については、図示せず）及び蒸発器で発生したドレン水（凝縮水）を捕集するためのポリタンク１０５とを有し、収納体１０２の背面部に凝縮器によって加熱された廃熱空気を排気する排気口１０４が備えられ、収納体１０２の前面部に蒸発器によって冷却された冷風を吹き出す冷風吹出し口１０３が備えられた構成となっている。
【０００３】
【発明が解決しようとする課題】
しかしながら、従来の一体型空調装置１０１は、以下のような問題を抱えている。
（ア）収納体１０２の背面部に排気口１０４が備えられた構成となっているため、図１０の（Ａ）や（Ｂ）に示すように、壁面Ｗに当接させて配置することや、２台背中合わせに配置することができず、背面部の後に所定の空間（空きスペース）ができるように配置しなければならないので、その分広い配置スペースが必要となる。（イ）冷風の吹出し速度が３〜５（ｍ／ｓ）程度と速いため、作業位置等によっては冷風が直接あたる。冷風が直接あたると体感温度が下がるので寒さを感じる。（ウ）冷風の吹出し速度が速いことはダスト飛散の原因ともなり、原子力発電所内等の高い清浄度の要求される作業空間での使用に大きな障害となる。（エ）ドレン水を捕集したポリタンク１０５を人為的に取り替えなければならない。（オ）原子力発電所内等であれば、ポリタンク１０５に捕集されたドレン水に対して厳しい汚染管理がなされるため、容易に排出することができない。
【０００４】
そこで、本発明の第１の課題は、冷風を広範囲に均一に吹出すようにした一体型空調装置を提供することにある。本発明の第２の課題は、作業員に対して強い冷風が直接的にあたらず、又、ダストの飛散を生じさせない一体型空調装置を提供することにある。第３の課題は、広い配置スペースを要しない一体型空調装置を提供することにある。本発明の第４の課題は、ドレン水捕集タンクの取り替え作業や、ドレン水排出作業等のドレン水の管理が不要となる一体型空調装置を提供することにある。
【０００５】
【課題を解決するための手段】
上記課題を解決した本発明は、次記の通りである。
【０００６】
【０００７】
【０００８】
＜請求項１記載の発明＞
収納体と、その内部に備えられた圧縮機、凝縮器及び蒸発器とを有する室内冷却用の室内設置の一体型空調装置において、
外形の略形状が円柱を縦断させた形状をなし、その母面が前面とされ、この前面の下部に吸込み口を上部に冷風吹出し口を有することを特徴とする一体型空調装置。
【０００９】
（作用効果）
外形の略形状が円柱を縦断させた形状をなしているので、従来、四角箱状のものであることが当然とされていた一体型空調装置において、デザイン的にまったく異なる興趣のあるものとなる。また、四角箱状の空調装置の角の縦縁に作業員が衝突することがなく、作業スペースを広く活用できる。
さらに、前面の下部に吸込み口を上部に冷風吹出し口を有するので、冷風の吹出し口が平面視でほぼ円弧状になっていることから、その円弧全体から冷風が吹出され、冷風を広範囲に均一に吹出すことができ、さらに、従来のように、作業員に対して強い冷風が直接的にあたらず、比較的弱められた冷風が吹出されるので快適な作業空間を確保できる。
【００１０】
＜請求項２記載の発明＞
冷風吹出し口に、平面視でほぼ一様に膨出する曲面を有する繊維フィルターが備えられ、この繊維フィルターのほぼ全域から冷風が吹出されるように構成した請求項１記載の一体型空調装置。
【００１１】
（作用効果）
冷風吹出し口に繊維フィルターが設けられ、そのほぼ全域から冷風が吹出されるようになっているので、吹出し冷風の均一化効果が大きくなり、快適な作業空間を確保でき、かつダストの飛散を生じさせないものとなる。
【００１２】
＜請求項３記載の発明＞
収納体内部の背面側に廃熱空気排気経路を設け、前記廃熱空気排気経路に気化器が備えられ、蒸発器で発生したドレン水が前記気化器に供給され、前記廃熱空気とともに排気される構成とした請求項１または２記載の一体型空調装置。
【００１３】
（作用効果）
ドレン水捕集タンクの取り替え作業や、ドレン水排出作業等のドレン水の管理が不要となる。
【００１４】
＜請求項４記載の発明＞
収納体と、その内部に備えられた圧縮機、凝縮器及び蒸発器とを有する室内冷却用の室内設置のものであり、
さらに、外形の略形状が円柱を縦断させた形状をなし、その母面が前面とされ、この前面の下部に吸込み口を上部に冷風吹出し口を有する一体型空調装置が、
縦断面を背中合わせに配置されたことを特徴とする空調設備。
【００１５】
（作用効果）
外形の略形状が円柱を縦断させた形状をなした一体型空調装置が、縦断面を背中合わせに配置されたことで、従来、四角箱状のものであることが当然とされていた一体型空調装置において、デザイン的にまったく異なる興趣のあるものとなる。また、四角箱状の空調装置の角の縦縁に作業員が衝突することがなく、本発明の空調設備の周囲全体での作業スペースを広く活用できる。
【００１６】
【発明の実施の形態】
以下、本発明の実施の形態を詳説する。
図１に本実施の形態に係る一体型空調装置１の縦断面図を、図２に正面図を、図３に背面図を、図４に横断面図を示した。
一体型空調装置１は、内部が図７に示すように、下段部、前面側中段部、背面側下中段部、背面側上中段部及び上段部に区分された収納体２と、図１〜図４に示すように下段部の前面側に配置された圧縮機３、下段部の背面側に傾斜配置された凝縮器４及び前面側中段部に傾斜配置された蒸発器５とを有し、圧縮機３、凝縮器４及び蒸発器５が空気冷却サイクルとして機能する構成となっている。又、一体型空調装置１は、背面側上中段部に傾斜配置された気化器６、下段部の前面側に圧縮機３と隣り合わせに配置されたポンプ７、背面側下中段部に配置された排気用ファン８，８…（本実施の形態においては、４基のプロペラファン（図３及び図４の（Ｃ）参照））及び前面側中段部と背面側上下中段部とを仕切る仕切板１４の前面側に取り付けられた冷気用ファン９（本実施の形態においては、空気を吸込口９Ｂから吸い込んで、吹出し口９Ａに吹き出す薄型シロッコファン（図１、図２及び図４の（Ｂ）参照））を有し、下段部の前面部に形成された空気吸込み口１１から設置空間内の空気（常温空気）を吸い込む構成となっている。
【００１７】
空気吸込み口１１から吸い込まれた空気は、まず、凝縮器４又は蒸発器５と接触する。凝縮器４と接触した空気は加熱されて廃熱空気となり、その後、排気用ファン８，８…によって上方に送られ、気化器６を通された後、収納体２の上面部に形成された排気口１２から排気される。したがって、収納体の背面部に排気口が備えられた従来の一体型空調装置と異なり、図５の（Ａ）に示すように、背面部（縦断面）を壁面Ｗに当接させて設置することや、図５の（Ｂ）に示すように、背面部（縦断面）を背中合わせに配置することが可能となり、広い設置スペースを確保する必要がなくなる。
【００１８】
又、蒸発器５と接触した空気は冷却されて冷風（冷却空気）となり、冷風用ファン９によって上方に送られた後、上段部の前面部に形成された冷風吹出し口１３から吹出される。したがって、排気口と吹出口とがほぼ同じレベル（高さ）となっていた従来の一体型空調装置と異なり、廃熱空気（排気後、上方に移動）と冷風（吹出後、下方に移動）との混合が生じないので、十分な冷却効果が得られる。さらに、本実施の形態においては、排気口１２がダクト接続可能な形状となっているので、ダクトを接続し廃熱空気が室外に排気されるようにすれば、一段と優れた冷却効果を得ることができる。なお、廃熱空気及び冷却空気は、収納体２の中段部においては仕切板１４によって、収納体の上段部においては背面側上中段部の上面部に開口する開口１５Ａ（図４の（Ａ）参照）と排気口１２とを連通するチャンバー１５によって混合が生じないようにされている。
【００１９】
ところで、本実施の形態の一体型空調装置１は、図４及び図５に示すように、外形（収納体２）の略形状が円柱を縦断させた形状をなし、その母面が前面とされる。略形状が円柱を縦断させた形状とは、図８の（Ａ）に示すような半円形状や、図８の（Ｂ）に示すような半楕円形状の他、図８の（Ｃ）や（Ｄ）に示すような半多角形状をも含むが、冷風の均等吹出しという観点からは、半円形状が最も好ましい。又、母面とは、図８の（Ａ）〜（Ｄ）に示すように、円柱を縦断する前において側面（周面）であった面を意味する。
【００２０】
本実施の形態の一体型空調装置１は、図１に示すように、冷風吹出し口１３に、平面視でほぼ一様に膨出する曲面を有する繊維フィルター１０が備えられている。そして、冷風吹出し口１３から吹出した冷風は、図１及び図５に示すように、繊維フィルター１０のほぼ全域から作業空間に向かって吹出されるようになっている。したがって、冷風が一箇所から吹出される従来の一体型空調装置と異なり、冷風が広範囲にかつ均等に吹出され、しかも従来の装置と単位時間あたりの冷風の吹出容量を同じにするとしても、冷風の吹出速度が著しく遅くなるので、作業員に冷風が直接あたることがなく、又ダストの飛散も防止される。作業員が冷風を感じないようにするには、冷風の吹出速度を０．１〜０．５（ｍ／ｓ）とするのが好ましい。繊維フィルター１０としては、例えば、極東貿易株式会社販売／三菱レイヨン株式会社製の「パイレンマルチフィラメント」を使用した「ソックフィルター」を変形的に採用することができる。なお、「ソックフィルター」はダクトに使用されるものである。特に図１に図示されているように、繊維フィルター１０は、その横断面（装置全体としては立断面）においても、円弧状であることが、吹出し方向を分散でき、より望ましい形態である。この形状を保持するために、冷風吹出し口１３に臨んで、適宜の形状の細い骨材（図示せず）を配置し、これに繊維フィルター１０を保持させることができる。
【００２１】
さらに、本実施の形態の一体型空調装置１においては、蒸発器５で常温空気を冷却した際に発生したドレン水が、ドレン水受け１６に受け入れられた後、パイプ１７を介してポンプ７に送られ、このポンプ７により輸送管１８を介して廃熱空気の排気経路上に備えられた気化器６に送られる構成となっている。そして、輸送管１８は、その先端部が、図６に示すように、気化器６の上面６Ａの長手方向に沿うＴ字状の散水部１８Ａとなっており、この散水部１８Ａから気化器上面６Ａにドレン水Ｄを散水する構成となっている。したがって、ドレン水は、気化器６によって廃熱空気中に蒸発させられ、廃熱空気とともに排気されるので、ドレン水捕集タンクの取り替え作業や、ドレン水排出作業等のドレン水の管理を行う必要がない。
【００２２】
【発明の効果】
以上のとおり、本発明の一体型空調装置によれば、冷風を広範囲に均一に吹出すことができ、また、作業員に対して強い冷風が直接的にあたらず、さらに、ダストの飛散を生じさせないものとなる。また、広い設置スペースを要しないなどの効果がもたらされる。
【図面の簡単な説明】
【図１】  一体型空調装置の縦断面図である。
【図２】  一体型空調装置の正面図である。
【図３】  一体型空調装置の背面図である。
【図４】  一体型空調装置の横断面図である。
【図５】  一体型空調装置の設置例である。
【図６】  ドレン水の散水状態の説明図である。
【図７】  収納体内部の区分を示した図である。
【図８】  一体型空調装置の外形（平面図）の変形例である。
【図９】  従来の一体型空調装置の側面図である。
【図１０】  従来の一体型空調装置の配置図である。
【符号の説明】
１…一体型空調装置、２…収納体、３…圧縮機、４…凝縮器、５…蒸発器、６…気化器、６Ａ…気化器上面、７…ポンプ、８…排気用ファン、９…冷風用ファン、１０…繊維フィルター、１１…空気吸込み口、１２…排気口、１３…吹出し口、１４…仕切板、１５…チャンバー、１６…ドレン水受け、１７…パイプ、１８…輸送管、１８Ａ…散水部、１０１…従来の一体型空調装置、１０２…収納体、１０３…冷気吹出し口、１０４…排気口、１０５…ポリタンク、Ｄ…ドレン水、Ｗ…壁面。
【図１】
0004709426.tif 000002
【図２】
0004709426.tif 000003
【図３】
0004709426.tif 000004
【図４】
0004709426.tif 000005
【図５】
0004709426.tif 000006
【図６】
0004709426.tif 000007
【図７】
0004709426.tif 000008
【図８】
0004709426.tif 000009
【図９】
0004709426.tif 000010
【図１０】
0004709426.tif 000011